(57)【要約】【課題】表示位置補正に要する時間を削減することができるアナログ電子時計システムおよびアナログ電子時計を提供すること。【解決手段】アナログ電子時計の日板２６ｅは、小窓２６ｇから露出する位置に、暦を識別する一連の文字群ＣＧの複数の文字Ｃ１〜Ｃ３１が周方向に等間隔でそれぞれ形成されており、かつ１つの関連性を有するとともに互いに異なる複数の識別パターンＩＤ１〜ＩＤ３１が文字群ＣＧの周方向に隣り合う文字Ｃ１〜Ｃ３１の間にそれぞれ形成されている。端末機器は、撮像部により小窓画像Ｐを生成し、小窓画像Ｐに基づいて識別パターンＩＤ１〜ＩＤ３１を検出し、検出した識別パターンＩＤ１〜ＩＤ３１に基づいて日板２６ｅの現在表示位置を検出する。アナログ電子時計は、検出された現在表示位置と、時計内部時刻に基づいた予定表示位置との差分に基づいて日板２６ｅの表示位置を補正する。【選択図】図４
2018169297.tif 000002
【特許請求の範囲】
【請求項１】
小窓を有する文字板と、
前記文字板の下側を回転し、前記小窓から前記文字板の上側に一部が露出する回転板と、
外部と情報を送受信することができる時計側通信部と、
前記回転板を回転させる駆動機構部と、
少なくとも、時計内部時刻を有し、前記時計内部時刻に基づいて前記駆動機構部による前記回転板の回転駆動を制御する時計側制御部と、
を備え、
前記回転板は、前記小窓から露出する位置に、暦あるいは計時時刻の一方を識別する一連の文字群の複数の文字が周方向にそれぞれ形成されており、かつ、１つの関連性を有するとともに互いに異なる複数の識別パターンが前記文字群の周方向に隣り合う前記文字の間にそれぞれ形成されている、
アナログ電子時計と、
外部と情報を送受信することができる端末側通信部と、
少なくとも前記小窓を撮像し、前記小窓および前記回転板のうち前記小窓から露出する露出部分に対応する画像を含む小窓画像を生成する撮像部と、
前記小窓画像に基づいて前記識別パターンを検出し、検出した前記識別パターンに基づいて前記回転板の現在表示位置を検出する端末側制御部と、
を有する端末機器と、
を備え、
前記アナログ電子時計は、
検出された前記現在表示位置と、前記時計内部時刻に基づいた予定表示位置との差分に基づいて前記回転板の表示位置を補正する、
ことを特徴とするアナログ電子時計システム。
【請求項２】
請求項１に記載のアナログ電子時計システムにおいて、
前記端末側制御部は、
前記小窓画像に基づいて前記文字を検出することができた場合に、前記文字に基づいて前記現在表示位置を検出し、
前記小窓画像に基づいて前記文字を検出することができない場合に、前記識別パターンを検出し、前記識別パターンに基づいて前記現在表示位置を検出する、
アナログ電子時計システム。
【請求項３】
請求項１または２に記載のアナログ電子時計システムにおいて、
前記端末側制御部は、
前記識別パターンに基づいて前記現在表示位置を検出する際には、前記小窓と前記識別パターンとの角度に基づいて、前記回転板の回転位置を検出する、
アナログ電子時計システム。
【請求項４】
請求項１〜３のいずれか１つに記載のアナログ電子時計システムにおいて、
前記回転板は、日板であり、
前記識別パターンは、５つの２値マークである
アナログ電子時計システム。
【請求項５】
小窓を有する文字板と、
前記文字板の下側を回転し、前記小窓から前記文字板の上側に一部が露出する回転板と、
外部と情報を送受信することができる時計側通信部と、
前記回転板を回転させる駆動機構部と、
少なくとも、時計内部時刻を有し、前記時計内部時刻に基づいて前記駆動機構部による前記回転板の回転駆動を制御する時計側制御部と、
を備え、
前記回転板は、前記小窓から露出する位置に、暦あるいは計時時刻の一方を識別する一連の文字群の複数の文字が周方向にそれぞれ形成されており、かつ、１つの関連性を有するとともに互いに異なる複数の識別パターンが前記文字群の周方向に隣り合う前記文字の間にそれぞれ形成されており、
前記時計側制御部は、
前記小窓および前記回転板のうち前記小窓から露出する露出部分に対応する画像を含む小窓画像に基づいて検出された前記識別パターンに基づいて検出された端末機器からの前記回転板の現在表示位置と、前記時計内部時刻に基づいた予定表示位置との差分に基づいて前記回転板の表示位置を補正する、
ことを特徴とするアナログ電子時計。
【発明の詳細な説明】
【技術分野】
【０００１】
本発明は、アナログ電子時計システムおよびアナログ電子時計に関する。
【背景技術】
【０００２】
ユーザーが所有する端末機器と、無線通信を介して、情報を送受信することができるアナログ電子時計が提案されている。アナログ電子時計は、ステップモータにより秒針、分針、時針および日板などの指針群を回転することで、内部時刻に基づいた表示位置に指針群を位置させ、ユーザーに現在時刻を認識させるものである。アナログ電子時計は、各種の外的要因により、指針群がずれる場合がある。この場合は、現在内部時刻と、指針群の現在表示位置に基づいた現在表示時刻とがずれることとなる。このため、アナログ電子時計では、表示位置の補正機能が備わっている（特許文献１参照）。
【０００３】
表示位置の補正は、ユーザーが端末機器により指針群を含めて文字板を撮像して、生成された画像に基づいて指針群の現在表示位置を検出し、現在内部時刻に基づいた予想表示位置に対する現在表示位置のずれに基づいて指針群の表示位置の補正を行うものがある。ところで、日板は、秒針、分針、時針とは異なり、文字板の下側を回転するものであり、小窓により文字板の上側に一部が露出するものである。したがって、日板の現在表示位置の検出は、小窓から文字板の上側に露出する部分である露出部分が検出対象となる。例えば、日板に形成された「日」を識別する文字群の複数の文字、例えば１〜３１の各数字の全体形状が露出部分において露出していれば、日板に対する現在表示位置の検出を容易に行うことができる。
【先行技術文献】
【特許文献】
【０００４】
【特許文献１】特許第４２００８３５号公報
【発明の概要】
【発明が解決しようとする課題】
【０００５】
しかしながら、日板のうち文字と文字との間の部分が露出部分となれば、文字の全体が露出部分となっていないため、日板に対する現在表示位置の検出は困難となり、日板に対する表示位置の補正を確実に行うことが困難となる。
【０００６】
本発明は、上記に鑑みてなされたものであって、小窓から文字板の上側に一部が露出する回転板に対する表示位置の補正を確実に行うことができるアナログ電子時計システムおよびアナログ電子時計を提供することを目的とする。
【課題を解決するための手段】
【０００７】
上述した課題を解決し、目的を達成するために、本実施形態におけるアナログ電子時計システムは、小窓を有する文字板と、前記文字板の下側を回転し、前記小窓から前記文字板の上側に一部が露出する回転板と、外部と情報を送受信することができる時計側通信部と、前記回転板を回転させる駆動機構部と、少なくとも、時計内部時刻を有し、前記時計内部時刻に基づいて前記駆動機構部による前記回転板の回転駆動を制御する時計側制御部と、を備え、前記回転板は、前記小窓から露出する位置に、暦あるいは計時時刻の一方を識別する一連の文字群の複数の文字が周方向にそれぞれ形成されており、かつ、１つの関連性を有するとともに互いに異なる複数の識別パターンが前記文字群の周方向に隣り合う前記文字の間にそれぞれ形成されている、アナログ電子時計と、外部と情報を送受信することができる端末側通信部と、少なくとも前記小窓を撮像し、前記小窓および前記回転板のうち前記小窓から露出する露出部分に対応する画像を含む小窓画像を生成する撮像部と、前記小窓画像に基づいて前記識別パターンを検出し、検出した前記識別パターンに基づいて前記回転板の現在表示位置を検出する端末側制御部と、を有する端末機器と、を備え、前記アナログ電子時計は、検出された前記現在表示位置と、前記時計内部時刻に基づいた予定表示位置との差分に基づいて前記回転板の表示位置を補正する、ことを特徴とする。
【０００８】
また、上述した課題を解決し、目的を達成するために、本実施形態におけるアナログ電子時計は、小窓を有する文字板と、前記文字板の下側を回転し、前記小窓から前記文字板の上側に一部が露出する回転板と、外部と情報を送受信することができる時計側通信部と、前記回転板を回転させる駆動機構部と、少なくとも、時計内部時刻を有し、前記時計内部時刻に基づいて前記駆動機構部による前記回転板の回転駆動を制御する時計側制御部と、を備え、前記回転板は、前記小窓から露出する位置に、暦あるいは計時時刻の一方を識別する一連の文字群の複数の文字が周方向にそれぞれ形成されており、かつ、１つの関連性を有するとともに互いに異なる複数の識別パターンが前記文字群の周方向に隣り合う前記文字の間にそれぞれ形成されており、前記時計側制御部は、前記小窓および前記回転板のうち前記小窓から露出する露出部分に対応する画像を含む小窓画像に基づいて検出された前記識別パターンに基づいて検出された端末機器からの前記回転板の現在表示位置と、前記時計内部時刻に基づいた予定表示位置との差分に基づいて前記回転板の表示位置を補正する、ことを特徴とする。
【発明の効果】
【０００９】
本発明におけるアナログ電子時計システムおよびアナログ電子時計は、文字群の周方向に隣り合う文字の間に、１つの関連性を有するとともに互いに異なる複数の識別パターンがそれぞれ形成され、小窓画像に基づいて識別パターンのいずれかを検出し、検出した識別パターンに基づいて回転板の現在表示位置を検出するので、確実に回転板の表示位置補正を行うことができるという効果を奏する。
【図面の簡単な説明】
【００１０】
【図１】図１は、実施形態におけるアナログ電子時計システムの全体構成図である。
【図２】図２は、実施形態におけるアナログ電子時計のブロック図である。
【図３】図３は、実施形態におけるアナログ電子時計の要部構成図である。
【図４】図４は、実施形態における日板の正面図である。
【図５】図５は、識別パターンの関連性の説明図である。
【図６】図６は、実施形態における端末機器のブロック図である。
【図７】図７は、実施形態におけるアナログ電子時計システムによる表示位置補正処理のシーケンス図である。
【図８】図８は、端末機器における表示位置補正処理のフロー図である。
【図９】図９は、アナログ電子時計における表示位置補正処理のフロー図である。
【図１０】図１０は、小窓画像に基づいた現在表示位置の検出（文字検出）の説明図である。
【図１１】図１１は、小窓画像に基づいた現在表示位置の検出（識別パターン検出）の説明図である。
【図１２】図１２は、変形例における日板を示す図である。
【図１３】図１３は、識別パターンの関連性の説明図である。
【図１４】図１４は、変形例における日板を示す図である。
【図１５】図１５は、変形例における日板を示す図である。
【発明を実施するための形態】
【００１１】
以下、本発明につき図面を参照しつつ詳細に説明する。なお、下記の実施形態により本発明が限定されるものではない。また、下記の実施形態における構成要素には、当業者が容易に想定できるものあるいは実質的に同一のものが含まれる。
【００１２】
〔実施形態〕
図１は、実施形態におけるアナログ電子時計システムの全体構成図である。図２は、実施形態におけるアナログ電子時計のブロック図である。図３は、実施形態におけるアナログ電子時計の要部構成図である。図４は、実施形態における日板の正面図である。図５は、識別パターンの関連性の説明図である。図６は、実施形態における端末機器のブロック図である。
【００１３】
実施形態にかかるアナログ電子時計システム１は、アナログ電子時計２と、端末機器３とを備える。アナログ電子時計システム１は、アナログ電子時計２と端末機器３との間で、情報を互いに送受信することで、少なくともアナログ電子時計２に対する表示位置補正を行うものである。本実施形態におけるアナログ電子時計システム１は、アナログ電子時計２と端末機器３との間の通信手段として、近距離無線通信手段の１つであるＢｌｕｅｔｏｏｔｈ（登録商標）を用いる場合について説明するが、通信手段はこれに限定されるものではなく、他の近距離無線通信手段や広域通信網等を用いてもよい。
【００１４】
アナログ電子時計２は、後述するアナログ表示部２６を有する時計であり、アナログ表示部２６における秒針２６ｂ、分針２６ｃ、時針２６ｄおよび日板２６ｅ（以下、単に「指針群２６ｂ〜２６ｅ」ともいう）と、文字板２６ａとの位置関係に対応する時刻をユーザーに認識させるものである。アナログ電子時計２は、アンテナ２１と、通信部２２と、制御部２３と、電源部２４と、駆動機構部２５と、アナログ表示部２６と、操作部２７と、を有する。本実施形態におけるアナログ電子時計２は、ユーザーが腕に装着する腕時計として説明するが、置き時計や掛け時計であってもよい。
【００１５】
アンテナ２１は、時計側通信部の一部を構成するものであり、近距離無線通信規格の一つであるＢｌｕｅｔｏｏｔｈ規格の電波を受信するものである。アンテナ２１は、通信部２２と接続されている。
【００１６】
通信部２２は、時計側通信部の一部を構成するものであり、外部と情報を送受信することができるものである。通信部２２は、Ｂｌｕｅｔｏｏｔｈモジュール２２ａと変換部２２ｂとを有する。Ｂｌｕｅｔｏｏｔｈモジュール２２ａは、アンテナ２１を介して、外部である端末機器３との間でＢｌｕｅｔｏｏｔｈ通信を行うための通信制御モジュールである。変換部２２ｂは、シリアル信号をパラレル信号に変換、あるいはパラレル信号をシリアル信号に変換するものである。制御部２３から出力され、外部に送信される送信情報（送信データ）は、変換部２２ｂにおいてシリアル／パラレル変換等の信号処理が行われ、Ｂｌｕｅｔｏｏｔｈモジュール２２ａからアンテナ２１を介して端末機器３に送信される。一方、アンテナ２１を介して、Ｂｌｕｅｔｏｏｔｈモジュール２２ａが受信した受信情報（受信データ）は、変換部２２ｂにおいてシリアル／パラレル変換等の信号処理が行われ、制御部２３に出力される。
【００１７】
制御部２３は、時計側制御部であり、アナログ電子時計２に含まれる各種回路や機構等を制御するものであり、少なくとも時計内部時刻に基づいて駆動機構部２５による指針群２６ｂ〜２６ｅの回転を制御するものである。また、制御部２３は、後述する取得した日板２６ｅの現在表示位置と、時計内部時刻に基づいた予定表示位置との差分に基づいて日板２６ｅの表示位置を補正するものである。また、制御部２３は、指針群２６ｂ〜２６ｅの現在位置情報を記憶しており、現在位置情報を更新するものである。制御部２３は、マイクロコントローラ２３ａと、モータ駆動回路２３ｂと、不揮発性メモリ２３ｃと、ＲＴＣ（Ｒｅａｌ  Ｔｉｍｅ  Ｃｌｏｃｋ）２３ｄとを有する。
【００１８】
マイクロコントローラ２３ａは、演算部２３ｅと、ＲＡＭ（Ｒａｎｄｏｍ  Ａｃｃｅｓｓ  Ｍｅｍｏｒｙ）２３ｆと、ＲＯＭ（Ｒｅａｄ  Ｏｎｌｙ  Ｍｅｍｏｒｙ）２３ｇと、を有する。マイクロコントローラ２３ａは、１つの集積回路により構成されている。演算部２３ｅは、ＲＴＣ２３ｄから出力されたクロック信号に含まれるパルスを図示しないカウンタによりカウントする。演算部２３ｅは、ＲＯＭ２３ｇに格納されたプログラムにしたがって各種の情報処理を行う。本実施形態における演算部２３ｅは、表示位置補正処理を実行する。演算部２３ｅは、カウントされたパルスの数に応じた時計内部時刻を決定する。ＲＡＭ２３ｆは、演算部２３ｅのワークメモリとして機能し、演算部２３ｅの処理対象となる情報が書き込まれる。また、ＲＡＭ２３ｆは、制御部２３により時計内部時刻に基づいて指針群２６ｂ〜２６ｅの回転を駆動機構部２５により制御する指針群２６ｂ〜２６ｅの制御動作に基づく、それぞれの現在位置情報を記憶するものでもある。
【００１９】
モータ駆動回路２３ｂは、演算部２３ｅにより決定された時計内部時刻に基づいて、駆動機構部２５に含まれる後述するステップモータ２５ａ〜２５ｃをそれぞれ駆動する駆動信号を出力する。
【００２０】
不揮発性メモリ２３ｃは、電源部２４により、制御部２３に電力が供給されていない場合や、アナログ電子時計２を再起動する場合等において、情報を保持するメモリである。不揮発性メモリ２３ｃは、指針群２６ｂ〜２６ｅの基準位置情報が記憶されている。本実施形態における基準位置情報は、予め設定されている基準位置に基づく情報である。ここで、基準位置は、例えば、秒針２６ｂ、分針２６ｃ、時針２６ｄが文字板２６ａの１２時を指す位置であり、かつ、日板２６ｅにおいて文字板２６ａの小窓２６ｇから後述する文字Ｃ１、すなわち「１」が視認できる位置である。基準位置情報は、基準時刻（１日午前１２時００分００秒）における指針群２６ｂ〜２６ｅのそれぞれの表示位置に関する初期値情報である。不揮発性メモリ２３ｃは、例えば、フラッシュメモリやＥＥＰＲＯＭ等である。
【００２１】
ＲＴＣ２３ｄは、アナログ電子時計２の内部で計時に使用されるクロック信号をマイクロコントローラ２３ａに出力するものである。
【００２２】
電源部２４は、アナログ電子時計２の電力源であり、通信部２２、制御部２３、駆動機構部２５等、アナログ電子時計２内の各部に対して電力を供給する。電源部２４は、発電回路２４ａと、バッテリ２４ｂと、電源電圧検出回路２４ｃとを有する。
【００２３】
発電回路２４ａは、アナログ表示部２６の後述する文字板２６ａの下側に配置される光発電素子を含むものである。発電回路２４ａは、文字板２６ａに対して照射される太陽光等の外光によって発電するものであり、発電した電力をバッテリ２４ｂに供給するものである。
【００２４】
バッテリ２４ｂは、充放電可能な二次電池であり、例えば、リチウムイオン電池等である。バッテリ２４ｂは、充電および放電を管理する図示しないバッテリーマネジメント回路により、発電回路２４ａが発電した電力を充電、あるいはアナログ電子時計２内の各部に対して電力を供給するために放電する。
【００２５】
電源電圧検出回路２４ｃは、バッテリ２４ｂの電圧を測定する回路である。測定された電圧を示す信号は、マイクロコントローラ２３ａに出力される。
【００２６】
駆動機構部２５は、モータ駆動回路２３ｂから出力される駆動信号に応じて回転駆動（例えば、１制御パルスごとに１８０度）する複数のステップモータ２５ａ，２５ｂ，２５ｃと、図示しない輪列とを有する。駆動機構部２５は、各ステップモータ２５ａ〜２５ｃの回転力を輪列が伝達することで、指針群２６ｂ〜２６ｅを予め設定されている１回の回転量ごとに回転させる。本実施形態においては、ステップモータ２５ａにより秒針２６ｂが回転され、ステップモータ２５ｂにより分針２６ｃおよび時針２６ｄが回転され、ステップモータ２５ｃにより日板２６ｅが回転される。ここで、分針２６ｃおよび時針２６ｄは、連動して回転するものであり、時針２６ｄが分針２６ｃの回転速度に対して１／１２の比で連動して回転する。ステップモータ２５ａ〜２５ｃは、秒針２６ｂに対して６度、分針２６ｃに対して１度、日板２６ｅに対して３６０／（３１×１７０）度を１回の回転量として、回転させる。
【００２７】
アナログ表示部２６は、アナログ電子時計２のうち外部から視認可能な位置に配置されている。アナログ表示部２６は、図３に示すように、文字板２６ａと、秒針２６ｂと、分針２６ｃと、時針２６ｄと、日板２６ｅとを有する。文字板２６ａは、円盤状に形成されており、外光を透過するものである。文字板２６ａは、インデックス２６ｆと、小窓２６ｇが形成されている。インデックス２６ｆは、秒針２６ｂ、分針２６ｃおよび時針２６ｄ（以下、単に「３針２６ｂ〜２６ｄ」ともいう）との相対位置により、ユーザーに現在時刻を認識させるものである。インデックス２６ｆは、文字板２６ａに対して周方向に等間隔に形成されている。本実施形態におけるインデックス２６ｆは、６度ごとに等間隔に形成されるものと、３０度ごとに等間隔に形成されるものとがある。小窓２６ｇは、文字板２６ａの上下方向において日板２６ｅと対向する位置に形成されており、文字板２６ａを上下に貫通するものである。本実施形態における小窓２６ｇは、矩形形状であり、文字板２６ａにおいて「３時」の位置に形成されている。３針２６ｂ〜２６ｄは、図示しないフレームに回転自在に支持されており、文字板２６ａの上側、例えば文字板２６ａの中心部において同軸上を回転する。３針２６ｂ〜２６ｄは、文字板２６ａ上のインデックス２６ｆに対する相対位置により、秒針２６ｂは現在時刻のうち「秒」を指し、分針２６ｃは現在時刻のうち「分」を指し、時針２６ｄは現在時刻のうち「時」を指すものである。本実施形態における３針２６ｂ〜２６ｄは、分針２６ｃ、秒針２６ｂ、時針２６ｄの順で、回転半径方向において文字板２６ａの中心からの長さが短く形成されている。
【００２８】
日板２６ｅは、回転板であり、図示しないフレームに回転自在に支持されており、文字板２６ａの下側を回転する。日板２６ｅは、小窓２６ｇにより文字板２６ａの上側に一部が露出する。日板２６ｅは、暦を識別する一連の文字群の複数の文字が周方向に等間隔でそれぞれ形成されている。本実施形態における日板２６ｅは、図４に示すように、暦のうち「日」を識別する一連の文字群ＣＧとして、１〜３１の数字にそれぞれ対応する文字Ｃ１〜Ｃ３１が周方向に等間隔でそれぞれ形成されている。なお、文字群ＣＧは、ユーザーが暦のうち「日」を識別する一連の文字群であれば、形状は限定されるものではなく、通常の数字、アラビア数字、ローマ数字、漢数字などのいずれであってもよい。
【００２９】
日板２６ｅは、文字群ＣＧの周方向に隣り合う文字Ｃ１〜Ｃ３１の間に、それぞれ識別パターンＩＤ１〜ＩＤ３１が形成されている。識別パターンＩＤ１〜ＩＤ３１は、１つの関連性を有するとともに、互いに異なるもの、すなわち異なる形状である。本実施形態における識別パターンＩＤ１〜ＩＤ３１は、図５に示すように、１つの関連性として、５つの２値マークＭ１〜Ｍ５で構成されている。各２値マークＭ１〜Ｍ５をそれぞれ白または黒のいずれかにすることで、５ビット、すなわち３２種類の異なる形状パターンを形成することができる。識別パターンＩＤ１〜ＩＤ３１は、３２種類の異なる形状パターンのうち、３１種類の異なる形状パターンを用いて形成されている。したがって、例えば、日板２６ｅの文字Ｃ３１と文字Ｃ１との間に形成される識別パターンＩＤ３１は、日板２６ｅにおける「３１日」と「１日」との間に位置していること、または日板２６ｅとしてまだ「３１日」を指していることを意味することとなる。識別パターンＩＤ１〜ＩＤ３１にそれぞれ対応する２値マークＭ１〜Ｍ５は、配列方向が回転半径方向と平行となるように、日板２６ｅに形成されている。識別パターンＩＤ１〜ＩＤ３１は、２値マークＭ１〜Ｍ５を挟んで、すなわち回転半径方向の両端部に、一対の傾き用マークＭＥを含むものである。識別パターンＩＤ１〜ＩＤ３１にそれぞれ対応する一対の傾き用マークＭＥは、対向方向が回転半径方向と平行となるように、日板２６ｅに形成されている。
【００３０】
操作部２７は、例えば、リューズや操作ボタン等である。操作部２７は、ユーザーが操作することで、入力操作に応じた操作内容が制御部２３に出力される。ここで、制御部２３は、操作内容に応じて、各種の処理を実行する。
【００３１】
端末機器３は、アナログ電子時計２とは別個であり、アナログ電子時計システム１の表示位置補正機能に対応する表示位置補正アプリケーション（以下、単に、「アプリ」ともいう）が、端末機器３の初期時（工場出荷時）から記憶部３７に記憶、あるいは外部サーバからダウンロードや接続された記録媒体から読み込むことで記憶部３７に記憶されるものである。本実施形態における端末機器３は、一部の機能として、アナログ電子時計システム１としての機能を有し、他の機能、例えば、電話機能、インターネット接続機能などを有しているスマートフォン、タブレットなどの携帯端末であるがこれに限定されるものではなく、ノートパソコンなどのパーソナルコンピュータであってもよい。端末機器３は、図１、図６に示すように、撮像部３１と、タッチパネル部３２と、アンテナ３３と、通信部３４と、制御部３５と、電源部３６と、記憶部３７と、内蔵時計部３８と、音声入出力部３９とを含んで構成されている。なお、端末機器３は、要求される機能に応じて、例えば、振動発生部などが追加されてもよい。
【００３２】
撮像部３１は、アナログ電子時計２の文字板２６ａにおける少なくとも小窓２６ｇを撮像するものであり、図３に示すように、小窓２６ｇおよび日板２６ｅのうち小窓２６ｇから露出する露出部分に対応する画像を含む小窓画像Ｐを生成するものである。撮像部３１は、図１に示すように、端末機器３の裏面（タッチパネル部３２の後述する表示面３２ａが設けられている面と反対側の面）に配置されている。撮像部３１は、図６に示すように、電源部３６からの電力により駆動する撮像素子が面状に配列されたＣＣＤイメージセンサやＣＭＯＳイメージセンサなどの撮像センサ３１ａを有するものである。撮像センサ３１ａは、露光ごとに、入射される光に応じた出力値に基づいて小窓画像Ｐを生成し、画像信号として制御部３５に出力する。撮像部３１は、撮像センサ３１ａの撮像条件、すなわち露光タイミング、露光時間などに基づいて、各撮像素子を駆動制御する。ここで、小窓画像Ｐは、小窓２６ｇに対応する画像、日板２６ｅのうち小窓２６ｇから露出する露出部分に対応する画像が含まれる。ここで、撮像部３１は、日板２６ｅが３針２６ｂ〜２６ｄと比較して単位時間当たりの回転が非常に遅いため、指針群２６ｂ〜２６ｅの回転停止を行わず、すなわちアナログ電子時計２が現在時刻を表示している状態において、小窓画像Ｐを生成する。
【００３３】
タッチパネル部３２は、表示部および入力部として機能するディスプレイである。タッチパネル部３２は、表示部の機能として、表示面３２ａを有し、撮像部３１により撮像された小窓画像Ｐを表示面３２ａに表示する。タッチパネル部３２は、端末機器３の表面に配置されており、電源部３６からの電力により駆動する液晶ディスプレイ、有機ＥＬディスプレイなどのディスプレイである。タッチパネル部３２は、制御部３５から出力される画像データ信号に基づいて、撮像部３１により撮像された画像である小窓画像Ｐを表示する。タッチパネル部３２は、入力部としての機能として、ユーザーが任意の位置を押圧することで、操作入力位置に対する操作入力信号が制御部３５に出力される。
【００３４】
アンテナ３３は、端末側通信部の一部を構成するものであり、少なくともＢｌｕｅｔｏｏｔｈ規格の電波を受信するものである。アンテナ３３は、通信部３４と接続されている。
【００３５】
通信部３４は、端末側通信部の一部を構成するものであり、外部と少なくとも時刻に関する時刻情報を送受信することができるものである。本実施形態における通信部３４は、通信部２２と同様に、アンテナ３３を介して、少なくとも外部であるアナログ電子時計２との間でＢｌｕｅｔｏｏｔｈ通信を行うための図示しないＢｌｕｅｔｏｏｔｈモジュールおよび変換部を有する。制御部３５から出力される送信情報（送信データ）、例えば日板２６ｅの現在表示位置情報は、変換部において信号処理が行われ、Ｂｌｕｅｔｏｏｔｈモジュールからアンテナ３３を介してアナログ電子時計２に送信される。一方、アンテナ３３を介して、Ｂｌｕｅｔｏｏｔｈモジュールが受信した受信情報（受信データ）、例えば表示位置補正完了通知は、変換部において信号処理が行われ、制御部３５に出力される。また、通信部３４は、各地に設置されている基地局と、無線通信により、情報の送受信を行うことができるものでもある。
【００３６】
制御部３５は、端末側制御部であり、撮像部３１を含む端末機器３を構成する機器を制御するものである。制御部３５は、上記アプリを実行することで、アナログ電子時計２の小窓２６ｇの撮像を実現するものである。また、制御部３５は、撮像部３１が生成した小窓画像Ｐを画像処理することで、文字Ｃ１〜Ｃ３１または識別パターンＩＤ１〜ＩＤ３１を検出するものである。ここで、制御部３５のハードウェア構成は、周知の端末機器の制御部のハードウェア構成と同一であり、例えば、図示しない演算部、ＲＡＭ、ＲＯＭを有する。
【００３７】
電源部３６は、端末機器３の電力源であり、撮像部３１と、タッチパネル部３２と、通信部３４と、制御部３５と、記憶部３７と、内蔵時計部３８と、音声入出力部３９等、端末機器３を構成する各種の機器に対して電力を供給する。電源部３６は、少なくとも充放電可能なバッテリを有する。
【００３８】
記憶部３７は、制御部３５が実行する表示位置補正アプリケーションに対応するプログラムを含む各種のプログラム、初期設定情報などを記憶するものである。記憶部３７は、例えば、フラッシュメモリやＥＥＰＲＯＭ等である。
【００３９】
内蔵時計部３８は、端末内部時刻を計時して保持するカウンタである。端末機器３では、制御部３５により端末内部時刻が読み出され、タッチパネル部３２の表示面３２ａに表示される。また、端末機器３では、制御部３５により、端末内部時刻と設定時刻とを比較することで、各種動作が行われる。端末内部時刻は、通信部３４によって端末機器３と基地局との通信が行われている際に、基地局から取得される基地局側時刻情報に基づいて、制御部３５により随時更新が行われる。
【００４０】
音声入出力部３９は、主にユーザーと端末機器３との間で音声を介して情報を伝達するものである。音声入出力部３９は、マイク３９ａと、スピーカー３９ｂとを有する。マイク３９ａは、主に、ユーザーの音声を入力するものであり、音波を音声信号に変換し、制御部３５などに出力するものである。スピーカー３９ｂは、主に、ユーザーに対して音声を出力するものであり、制御部３５などから出力された音声信号を音波に変換し、端末機器３の外部に出力するものである。
【００４１】
次に、本実施形態におけるアナログ電子時計システム１による表示位置補正について説明する。図７は、実施形態におけるアナログ電子時計システムによる表示位置補正処理のシーケンス図である。図８は、端末機器における表示位置補正処理のフロー図である。図９は、アナログ電子時計における表示位置補正処理のフロー図である。図１０は、小窓画像に基づいた現在表示位置の検出（文字検出）の説明図である。図１１は、小窓画像に基づいた現在表示位置の検出（識別パターン検出）の説明図である。なお、図１０および図１１におけるＸは、日板の回転中心である。
【００４２】
まず、ユーザーは、図７に示すように、端末機器３において表示位置補正アプリケーションを起動する。ここで、アプリの起動は、例えば、ユーザーが表示面３２ａに表示されたアプリに対応する起動ボタンのアイコンを押下する（表示面３２ａのうち、起動ボタンのアイコン表示位置に対して操作入力する）。ここで、本実施形態における端末機器３の通信部３４は、アプリの起動により、アナログ電子時計２の通信部２２との間で、Ｂｕｌｅｔｏｏｔｈ通信を確立する。
【００４３】
次に、端末機器３の制御部３５は、図８に示すように、アプリが起動しているか否かを判断する（ステップＳＴ３０１）。
【００４４】
次に、制御部３５は、アプリが起動していると判断する（ステップＳＴ３０１：Ｙｅｓ）と、撮像部３１を起動する（ステップＳＴ３０２）。ここでは、制御部３５は、指針群２６ｂ〜２６ｅが回転状態において、小窓２６ｇを撮像するために、撮像部３１を起動する。制御部３５は、撮像部３１が起動されると、撮像部３１からリアルタイムに出力される画像信号に基づいた画像を表示面３２ａに表示させる。つまり、ユーザーは、表示面３２ａを視認することで、撮像部３１が撮像しようとする被写体、すなわち小窓２６ｇを確認することができる。また、制御部３５は、撮像部３１による撮像を指示するシャッターをアイコンとして表示する。
【００４５】
次に、制御部３５は、シャッターが押下されたか否かを判断する（ステップＳＴ３０３）。
【００４６】
次に、制御部３５は、シャッターが押下されたと判断する（ステップＳＴ３０３：Ｙｅｓ）と、小窓画像Ｐを生成する（ステップＳＴ３０４）。ここでは、制御部３５は、ユーザーにより表示面３２ａに表示されたシャッターのアイコンが押下されると、撮像部３１による撮像を指示する撮像指示信号を撮像部３１に出力し、撮像部３１による撮像が行われ、小窓画像Ｐが生成される。また、制御部３５は、シャッターが押下されていないと判断する（ステップＳＴ３０３：Ｎｏ）と、シャッターが押下されるまで、ステップＳＴ３０５を繰り返す。
【００４７】
次に、制御部３５は、小窓画像Ｐから文字群ＣＧの文字Ｃ１〜Ｃ３１のいずれかを検出することができたか否かを判断する（ステップＳＴ３０５）。本実施形態における制御部３５は、画像処理としてパターンマッチング処理を行うことで、小窓画像Ｐから文字Ｃ１〜Ｃ３１のいずれかを検出する。ここで、パターンマッチング処理は、小窓画像Ｐにおける各画素が有する輝度、彩度、明度、色相などの値を比較して、幾何学形状情報を抽出することで行われる。制御部３５は、例えば、図１０に示すように、予め記憶部３７に記憶されている識別パターンＩＤ１〜ＩＤ３１の形状（輪郭形状）と、小窓画像Ｐにおいて検出された形状とが完全一致（形状の一部が連続的でない完全一致相当も含む）、すなわち小窓２６ｇに文字Ｃ１〜Ｃ３１のいずれかの全部が露出している場合に、文字Ｃ１〜Ｃ３１のいずれかを検出することができる。
【００４８】
次に、制御部３５は、図８に示すように、文字Ｃ１〜Ｃ３１のいずれかを検出できたと判断する（ステップＳＴ３０５：Ｙｅｓ）と、現在表示位置情報を生成する（ステップＳＴ３０６）。ここでは、制御部３５は、検出された文字に基づいて、日板２６ｅの現在表示位置を検出し、現在表示位置情報を生成する。本実施形態における制御部３５は、検出された文字Ｃ１〜Ｃ３１に基づいて日板２６ｅの基準位置に対する現在位置（例えば、基準位置に対する現在の日板２６ｅの回転角度）を算出することで現在表示位置情報を生成する。
【００４９】
次に、制御部３５は、アナログ電子時計２に対して現在表示位置情報を送信する（ステップＳＴ３０７）。現時点で、アナログ電子時計２の指針群２６ｂ〜２６ｅが回転状態であるが、制御部３５は、日板２６ｅを駆動機構部２５により時計内部時刻による日板２６ｅの回転に加えて、さらに回転することができるように、通信部３４，２２を介して、日板２６ｅの現在表示位置情報を制御部２３に出力する。
【００５０】
次に、制御部２３は、図９に示すように、現在表示位置情報を受信したか否かを判断する（ステップＳＴ２０１）。
【００５１】
次に、制御部２３は、現在表示位置情報を受信したと判断する（ステップＳＴ２０１：Ｙｅｓ）と、現在表示位置情報に基づいて日板２６ｅの表示位置補正を行う（ステップＳＴ２０２）。ここでは、制御部２３は、現在表示位置情報と、時計内部時刻に基づいた予定表示位置との差分である日差分情報に基づいて、駆動機構部２５の各ステップモータ２５ａ〜２５ｃに対してモータ駆動回路２３ｂが駆動信号を出力する。したがって、日板２６ｅは、現在表示位置から日差分情報に基づいた補正表示位置に回転する。なお、現在位置情報は、現在の表示位置から補正表示位置に対応する位置情報となり、ＲＡＭ２３ｆに記憶される。また、制御部２３は、現在表示位置情報を受信していないと判断する（ステップＳＴ２０１：Ｎｏ）と、現在表示位置情報を受信するまでステップＳＴ２０１を繰り返す。
【００５２】
次に、制御部２３は、端末機器３に対して表示位置補正完了通知を送信する（ステップＳＴ２０３）。現時点で、アナログ電子時計２の日板２６ｅの表示位置補正が完了しているため、制御部２３は、アプリを終了できるように、通信部２２，３４を介して、アプリ終了のトリガーとなる表示位置補正完了通知を制御部３５に出力する。
【００５３】
次に、制御部３５は、図８に示すように、表示位置補正完了通知を受信したか否かを判断する（ステップＳＴ３０８）。
【００５４】
次に、制御部３５は、表示位置補正完了通知を受信したと判断する（ステップＳＴ３０８：Ｙｅｓ）と、アプリを終了する（ステップＳＴ３０９）。ここでは、制御部３５は、表示位置補正完了通知を受信すると、例えば、表示面３２ａに表示位置補正が完了した旨をユーザーに認識させる注意喚起表示を表示したのち、アプリを終了する。また、制御部３５は、表示位置補正完了通知を受信していないと判断する（ステップＳＴ３０８：Ｎｏ）と、表示位置補正完了通知を受信するまでステップＳＴ３０８を繰り返す。また、制御部３５は、一定期間、表示位置補正完了通知を受信していない場合に、アナログ電子時計２との通信が不通であることをユーザーに認識させる注意表示画像を表示面３２ａに表示したのち、アプリを終了（ステップＳＴ３０９）してもよい。また、アナログ電子時計２との通信が不通である場合は、アナログ電子時計２の電池容量が低下しており、指針群２６ｂ〜２６ｅの回転が停止している状態である可能性もあるため、アナログ電子時計２との通信が不通であることとともに、アナログ電子時計２の充電をユーザーに促す注意表示画像を合わせて表示面３２ａに対して表示してもよい。
【００５５】
また、制御部３５は、文字Ｃ１〜Ｃ３１のいずれかを検出できないと判断する（ステップＳＴ３０５：Ｎｏ）と、小窓画像Ｐから識別パターンＩＤ１〜ＩＤ３１のいずれかを検出することができたか否かを判断する（ステップＳＴ３１０）。本実施形態における制御部３５は、例えば、図１１に示すように、予め記憶部３７に記憶されている識別パターンＩＤ１〜ＩＤ３１の形状と、小窓画像Ｐにおいて検出された形状とが完全一致（形状の一部が連続的でない完全一致相当も含む）、すなわち小窓２６ｇにＩＤ１〜ＩＤ３１のいずれかの全部が露出している場合に、ＩＤ１〜ＩＤ３１のいずれかを検出することができる。
【００５６】
次に、制御部３５は、図８に示すように、識別パターンＩＤ１〜ＩＤ３１のいずれかを検出することができたと判断する（ステップＳＴ３１０：Ｙｅｓ）と、現在表示位置情報を生成する（ステップＳＴ３０６）。ここでは、制御部３５は、検出された識別パターンＩＤ１〜ＩＤ３１に基づいて、日板２６ｅの現在表示位置情報を生成する。本実施形態における制御部３５は、検出された識別パターンＩＤ１〜ＩＤ３１に基づいて、日板２６ｅの基準位置に対する現在位置（例えば、基準位置に対する現在の日板２６ｅの回転角度）を算出することで日板２６ｅの現在表示位置を検出し、現在表示位置情報を生成し、アナログ電子時計２に対して現在表示位置情報を送信し（ステップＳＴ３０７）、制御部２３により現在表示位置情報に基づいて日板２６ｅの表示位置補正が行われ（ステップＳＴ２０２）、端末機器３に対して制御部２３により表示位置補正完了通知が送信され（ステップＳＴ２０３）、制御部３５によりアプリが終了される（ステップＳＴ３０９）。また、制御部３５は、識別パターンＩＤ１〜ＩＤ３１のいずれかを検出することができないと判断する（ステップＳＴ３１０：Ｎｏ）と、制御部３５によりアプリが終了される（ステップＳＴ３０９）。
【００５７】
以上のように、本実施形態におけるアナログ電子時計システム１では、文字群ＣＧの周方向に隣り合う文字Ｃ１〜Ｃ３１の間に、１つの関連性を有するとともに互いに異なる複数の識別パターンＩＤ１〜ＩＤ３１がそれぞれ形成されており、制御部３５により小窓画像Ｐに基づいて識別パターンＩＤ１〜ＩＤ３１のいずれかを検出し、検出した識別パターンＩＤ１〜ＩＤ３１に基づいて日板２６ｅの現在表示位置を検出するため、日板２６ｅにおいて識別パターンＩＤ１〜ＩＤ３１が形成されていない場合と比較して、文字Ｃ１〜Ｃ３１のいずれかを検出できなくても、隣り合う文字Ｃ１〜Ｃ３１のうち、どの文字とどの文字との間が小窓２６ｇから文字板２６ａの上側に露出しているかを把握することができる。文字Ｃ１〜Ｃ３１のいずれかを検出しなければ、日板２６ｅの表示位置補正を行うことができない場合は、制御部３５により文字Ｃ１〜Ｃ３１のいずれかを検出できないと判断すると、表示位置補正が行えなくなる。または、制御部２３により、文字Ｃ１〜Ｃ３１のいずれかが小窓２６ｇから露出できる表示位置まで日板２６ｅを回転させることとなり、回転後に撮像部３１により撮像となるので、表示位置補正に要する時間が長くなる。一方、アナログ電子時計システム１は、制御部３５により文字Ｃ１〜Ｃ３１のいずれかを検出できないと判断しても、識別パターンＩＤ１〜ＩＤ３１のいずれかを検出することができるので、確実に日板２６ｅの表示位置補正を行うことができ、表示位置補正に要する時間が長くなることを抑制することができる。
【００５８】
また、アナログ電子時計システム１における日板２６ｅは、３針２６ｂ〜２６ｄと比較して単位時間当たりの回転が非常に遅いため、指針群２６ｂ〜２６ｅの回転停止を行わず、すなわちアナログ電子時計２が現在時刻を表示している状態において、日板２６ｅの表示位置補正を行うことができる。したがって、アナログ電子時計システム１は、日板２６ｅの表示位置補正を行うために、指針群２６ｂ〜２６ｅの回転停止を行わなくてもよいので、日板２６ｅの表示位置補正におけるユーザーの不利益を抑制することができる。
【００５９】
また、アナログ電子時計システム１は、制御部３５により、まず小窓画像Ｐに対して文字Ｃ１〜Ｃ３１の検出が先に行われ、文字Ｃ１〜Ｃ３１のいずれかを検出できなかった場合に、識別パターンＩＤ１〜ＩＤ３１のいずれかの検出が行われる。ここで、文字Ｃ１〜Ｃ３１は、識別パターンＩＤ１〜ＩＤ３１と比較して、形状的な特徴が大きく、画像処理において識別パターンＩＤ１〜ＩＤ３１よりも検出が容易である。したがって、アナログ電子時計システム１は、検出精度の高い文字Ｃ１〜Ｃ３１のいずれかを先に検出するので、表示位置補正に要する時間が長くなることをさらに抑制することができる。なお、アナログ電子時計システム１は、制御部３５により、まず小窓画像Ｐに対して識別パターンＩＤ１〜ＩＤ３１の検出を先に行い、識別パターンＩＤ１〜ＩＤ３１のいずれかを検出できなかった場合に、文字Ｃ１〜Ｃ３１のいずれかの検出を行ってもよい。
【００６０】
また、アナログ電子時計システム１は、回転板である日板２６ｅに形成される識別パターンＩＤ１〜ＩＤ３１が５つの２値マークＭ１〜Ｍ５である。したがって、制御部３５は、画像処理において２値マークＭ１〜Ｍ５に対応する画像の２値を判断することで、検出された識別パターンがどの識別パターンＩＤ１〜ＩＤ３１のいずれかであるかを簡単に把握することができる。これにより、アナログ電子時計システム１は、識別パターンＩＤ１〜ＩＤ３１のいずれかを検出する際の検出時間（画像処理時間）が長くなることを抑制できるため、表示位置補正に要する時間が長くなることをさらに抑制することができる。
【００６１】
なお、上記実施形態におけるアナログ電子時計システム１は、識別パターンＩＤ１〜ＩＤ３１に基づいて日板２６ｅの現在表示位置を生成する際に、識別パターンＩＤ１〜ＩＤ３１の傾きを考慮してもよい。変形例におけるアナログ電子時計システム１は、制御部３５により、識別パターンＩＤ１〜ＩＤ３１を検出し、識別パターンＩＤ１〜ＩＤ３１に基づいて現在表示位置を検出する際に、図１１に示すように小窓２６ｇと識別パターンＩＤ１〜ＩＤ３１との角度θに基づいて、日板２６ｅの回転位置を検出してもよい。ここでは、制御部３５は、小窓画像Ｐにおいて小窓２６ｇを検出する。小窓２６ｇは、通常矩形形状であり回転中心Ｘに向かって延在する一対の長辺と、長辺と直交する一対の短辺とにより生成されている。したがって、変形例における制御部３５は、小窓画像Ｐのうち、パターンマッチング処理を行うことで、予め記憶部３７に記憶されている小窓２６ｇの形状（輪郭形状）と、小窓画像Ｐにおいて検出された小窓２６ｇに相当する形状とが完全一致（形状の一部が連続的でない完全一致相当も含む）する場合に、小窓２６ｇを検出することができる。一方、検出されたいずれかの識別パターンＩＤ１〜ＩＤ３１には、５つの２値マークＭ１〜Ｍ５を挟んで、一対の傾き用マークＭＥが形成されており、一対の傾き用マークＭＥを結び回転中心Ｘに延びる仮想線Ｋ２と、検出された小窓２６ｇの長辺から回転中心Ｘに延びる仮想線Ｋ１とのなす角度θに基づいて、日板２６ｅの回転位置を検出し、日板２６ｅの回転位置に基づいた現在表示位置情報を生成する。小窓２６ｇの文字板２６ａに対する相対位置は固定されているため、制御部３５により文字板２６ａに対して検出された識別パターンＩＤ１〜ＩＤ３１の傾き、すなわち日板２６ｅの回転角度を把握することができる。したがって、アナログ電子時計システム１は、制御部３５により検出される現在表示位置の検出精度を向上することができるため、表示位置補正の精度を向上することができる。
【００６２】
なお、実施形態におけるアナログ電子時計システム１における識別パターンＩＤ１〜ＩＤ３１を構成する５つの２値マークＭ１〜Ｍ５は、ユーザーが視認する日板２６のデザインを利用したものであってもよい。図１２は、変形例における日板を示す図である。変形例におけるアナログ電子時計システム１の日板２６ｅは、図１２に示すように、文字Ｃ１〜Ｃ３１が形成されている面に、模様Ｄが形成されている。変形例における模様Ｄは、交差する複数の直線で形成されており、結果として、文字Ｃ１〜Ｃ３１が形成されている部分を除き、模様Ｄの１つ単位としてひし形などの複数の多角形が回転半径方向および周方向において連続的に配列されて形成されている。変形例における識別パターンＩＤ１〜ＩＤ３１は、模様Ｄの１つの単位、すなわち多角形を１つの２値マークとし、回転半径方向に配列された５つの多角形を２値マークＭ１〜Ｍ５として用いる。したがって、変形例におけるアナログ電子時計システム１は、模様の一部を識別パターンＩＤ１〜ＩＤ３１として利用するので、識別パターンＩＤ１〜ＩＤ３１によりアナログ表示部２６の意匠性が低下することを抑制することができる。
【００６３】
また、上記実施形態におけるアナログ電子時計システム１では、回転板として日板２６ｅを用いる場合について説明したが、これに限定されるものではない。回転板は、暦を識別する一連の文字群の複数の文字が周方向にそれぞれ形成されていればよいので、「月」に関する一連の文字群が形成された月板、「年」に関する一連の文字群が形成された年板、「曜日」に関する一連の文字群が形成された曜日板であってもよい。また、アナログ電子時計２は、暦を識別する一連の異なる文字群がそれぞれ形成された２以上の回転板を有していてもよい。また、回転板は、計時時刻を識別する一連の文字群の複数の文字が周方向にそれぞれ形成されていてもよいので、「時」に関する一連の文字群が形成された時板、「分」に関する一連の文字群が形成された分板、「秒」に関する一連の文字群が形成された秒板であってもよい。また、アナログ電子時計２は、計時時刻を識別する一連の異なる文字群がそれぞれ形成された２以上の回転板を有していてもよい。また、アナログ電子時計２は、暦を識別する一連の異なる文字群が形成された回転板と、計時時刻を識別する一連の異なる文字群が形成された回転板とをそれぞれ１以上を有していてもよい。また、アナログ電子時計２は、上記回転板の他に、暦および計時時刻以外の関連性を有する一連の文字群が形成された回転板を有していてもよい。例えば、「都市」の文字群が形成された回転板や、「アナログ電子時計２のモード状態」の文字群が形成された回転板などである。このような回転板においても、隣り合う文字と文字との間に、識別パターンを形成することで、制御部３５により識別パターンを検出することで、このような回転板の現在表示位置を検出することができ、表示位置補正を行うことができる。
【００６４】
また、実施形態におけるアナログ電子時計システム１では、５つの２値マークＭ１〜Ｍ５を識別パターンとしたが、これに限定されるものではない。図１３は、変形例における日板の正面図である。図１４は、識別パターンの関連性の説明図である。図１５は、変形例における日板を示す図である。変形例におけるアナログ電子時計システム１の日板２６ｅは、図１３に示すように、５つの２値マークＭ１〜Ｍ５とは異なる１つの関連性を有するとともに互いに異なる複数の識別パターンＩＤ１〜ＩＤ３１が形成されていてもよい。変形例における識別パターンＩＤ１〜ＩＤ３１は、図１４に示すように、１つの関連性として、文字Ｃ１〜Ｃ３１の一の位および十の位の各数字にそれぞれ対応する記号で構成されていてもよい。この場合、数字の「０」から「９」までにそれぞれ記号を関連づける。例えば、数字「０」であれば白丸、数字「１」であれば縦線１本、数字「２」であれば横線２本、数字「３」であれば白三角、数字「４」であれば白四角、数字「５」であれば白ひし形、数字「６」であれば逆白三角、数字「７」であれば黒三角、数字「８」であれば黒四角、数字「９」であれば黒ひし形とする。識別パターンＩＤ１〜ＩＤ３１は、数字の「０」から「９」までにそれぞれ関連づけられた記号を用いて形成されている。したがって、例えば、日板２６ｅの文字Ｃ３１と文字Ｃ１との間に形成される識別パターンＣ３１は、十の位として白三角と、一の位として縦線１本となる。また、変形例における識別パターンＩＤ１〜ＩＤ３１は、図１５に示すように、ユーザーが視認した際に、ユーザーに対して端末機器３の操作を促すアイコンであってもよい。例えば、識別パターンＩＤ１〜ＩＤ３１をユーザーが撮像部３１により撮像したくなるようなカメラに関するアイコンとしてもよく、アイコンの色、形状、数などにより、異なる識別パターンＩＤ１〜ＩＤ３１を構成することとなる。さらに、変形例における識別パターンＩＤ１〜ＩＤ３１は、文字Ｃ１〜Ｃ３１と連続した形状であってもよい。この場合は、隣り合う文字Ｃ１〜Ｃ３１の間に形成される識別パターンＩＤ１〜ＩＤ３１を隣り合う文字Ｃ１〜Ｃ３１どうしの連続性をユーザーが視認可能な形状に形成し、かつ各識別パターンＩＤ１〜ＩＤ３１を異なる形状に形成してもよい。これにより、識別パターンＩＤ１〜ＩＤ３１によりアナログ表示部２６の意匠性が低下することを抑制することができる。
【００６５】
また、識別パターンＩＤ１〜ＩＤ３１は、制御部３５により小窓画像Ｐにおいて検出することができるものであればよいので、撮像部３１の特性を考慮したものであってもよい。例えば、撮像部３１が可視光線領域以外の領域、例えば、赤外線領域や、紫外線領域の光を露光することができるものであれば、識別パターンＩＤ１〜ＩＤ３１を赤外線、紫外線に反応する塗料などで形成してもよい。この場合は、小窓２６ｇから文字板２６ａの上側に、識別パターンＩＤ１〜ＩＤ３１が露出しても、ユーザーは認識することができない。したがって、露出した識別パターンＩＤ１〜ＩＤ３１を認識することができる場合と比較して、アナログ電子時計２の意匠性が低下することを抑制することができる。また、識別パターンＩＤ１〜ＩＤ３１を蛍光塗料などで形成し、撮像部３１により暗所で小窓２６ｇを撮像することで、制御部３５により、小窓画像Ｐにおいて識別パターンＩＤ１〜ＩＤ３１を検出することができることとなる。さらに、識別パターンＩＤ１〜ＩＤ３１を日板２６ｅよりも反射率が高い反射部材により形成してもよい。この場合は、撮像部３１により小窓２６ｇを撮像することで、輝度差が明確となり、制御部３５による識別パターンＩＤ１〜ＩＤ３１の検出精度を向上することができる。さらに、日板２６ｅに対して再帰反射インクを用いて、識別パターンＩＤ１〜ＩＤ３１を形成してもよい。再帰反射インクは、外光に対しては拡散反射するものであるため、外光下では視認性が低く、光源からの指向性のある光に対しては光源に向かって光を反射するたま、視認性が向上する。従って、端末機器３に光源を有する場合において、撮像部３１により小窓２６ｇを撮像する際に、光源を点滅させることで、識別パターンＩＤ１〜ＩＤ３１において反射した光源からの光により、輝度差が明確となるとともに、外光下では視認性が低いことから、識別パターンＩＤ１〜ＩＤ３１によりアナログ表示部２６の意匠性が低下することを抑制するとともに、制御部３５による識別パターンＩＤ１〜ＩＤ３１の検出精度を向上することができる。
【符号の説明】
【００６６】
１  アナログ電子時計システム
２  アナログ電子時計
２１  アンテナ（時計側通信部）
２２  通信部（時計側通信部）
２３  制御部（時計側制御部）
２５  駆動機構部
２６  アナログ表示部
２６ａ  文字板
２６ｂ  秒針
２６ｃ  分針
２６ｄ  時針
２６ｅ  日板
２６ｆ  インデックス
３  端末機器
３１  撮像部
３２  タッチパネル部
３２ａ  表示面
３３  アンテナ（端末側通信部）
３４  通信部（端末側通信部）
３５  制御部（端末側制御部）
Ｃ１〜Ｃ３１  文字
ＣＧ  文字群
Ｄ  模様
ＩＤ１〜ＩＤ３１  識別パターン
Ｍ１〜Ｍ２  ２値マーク
ＭＥ  傾き用マーク
Ｐ  小窓画像
Ｘ  回転中心
【図１】
2018169297.tif 000003
【図２】
2018169297.tif 000004
【図３】
2018169297.tif 000005
【図４】
2018169297.tif 000006
【図５】
2018169297.tif 000007
【図６】
2018169297.tif 000008
【図７】
2018169297.tif 000009
【図８】
2018169297.tif 000010
【図９】
2018169297.tif 000011
【図１０】
2018169297.tif 000012
【図１１】
2018169297.tif 000013
【図１２】
2018169297.tif 000014
【図１３】
2018169297.tif 000015
【図１４】
2018169297.tif 000016
【図１５】
2018169297.tif 000017